(57)【要約】【課題】過酸化水素を含む被処理水を活性炭層に通して被処理水中の過酸化水素を除去する際に、被処理水中の過酸化水素濃度が変動しても活性炭の寿命に変動が生じることがなく、また、活性炭層からの処理水への過酸化水素の流出を防ぐことができるようにする。【解決手段】被処理水を活性炭層に通す通水工程の前段に、通水工程の前段に、被処理水に還元処理用の薬品を添加して過酸化水素の還元を行なう還元処理工程を設ける。還元処理用の薬品として、例えば過酸化水素分解酵素であるカタラーゼを使用する。【選択図】図１
2020037063.tif 000002
【特許請求の範囲】
【請求項１】
過酸化水素を含む被処理水を活性炭層に通す通水工程を有して前記被処理水中の過酸化水素を除去する処理方法において、
前記通水工程の前段に、前記被処理水に還元処理用の薬品を添加して過酸化水素の還元を行なう還元処理工程を有することを特徴とする処理方法。
【請求項２】
前記還元処理工程において、前記被処理水中の過酸化水素濃度を５０ｍｇ／Ｌ以下にまで低減させる、請求項１に記載の処理方法。
【請求項３】
前記薬品は、カタラーゼを含む薬品である、請求項１または２に記載の処理方法。
【請求項４】
前記被処理水における過酸化水素濃度を計測した結果に基づいて前記薬品の前記反応槽への注入量を制御する、請求項１乃至３のいずれか１項に記載の処理方法。
【請求項５】
前記還元処理工程に使用される装置における前記被処理水の滞留時間と、前記薬品による過酸化水素の還元分解反応の反応速度定数とを使用して、前記薬品の添加量を算出し、前記添加量を制御する、請求項４に記載の処理方法。
【請求項６】
過酸化水素を含む被処理水を分解除去する処理装置であって、
前記被処理水が供給され、還元処理用の薬品によって前記被処理水中の過酸化水素の還元処理を行なう反応槽と、
前記反応槽の出口に接続する活性炭充填塔と、
を有し、前記反応槽から排出される水に含まれる過酸化水素が前記活性炭充填塔において除去される処理装置。
【請求項７】
前記反応槽から排出される水の過酸化水素濃度が５０ｍｇ／Ｌ以下である、請求項６に記載の処理装置。
【請求項８】
前記薬品は、カタラーゼを含む薬品である、請求項６または７に記載の処理装置。
【請求項９】
前記被処理水の過酸化水素濃度を計測する過酸化水素濃度センサーをさらに備え、
前記過酸化水素濃度センサーによって計測した結果に基づいて、前記薬品の前記反応槽への注入量を制御する、請求項６乃至８のいずれか１項に記載の処理装置。
【請求項１０】
前記反応槽における前記被処理水の滞留時間と、前記薬品による過酸化水素の還元分解反応の反応速度定数とを使用して、前記薬品の注入量を算出して制御する、請求項９に記載の処理装置。
【発明の詳細な説明】
【技術分野】
【０００１】
本発明は、過酸化水素含有水の処理方法および処理装置に関し、特に、活性炭層に過酸化水素含有水を通水して過酸化水素を除去する処理方法および処理装置に関する。
【背景技術】
【０００２】
洗浄や殺菌用途で過酸化水素が広く使用されており、洗浄や殺菌などの工程からは、過酸化水素を含む排水が排出される。過酸化水素を含む排水をそのまま外部に排出することはできず、排水中の過酸化水素を除去することが必要となる。排水には過酸化水素のほかに他の成分、例えば有機物が含まれる場合もあるが、その場合には、まず過酸化水素を除去した後に、後段の設備において有機物や窒素、フッ素などの他の成分の除去を行なうことになる。被処理水である過酸化水素含有水に含まれる過酸化水素を除去する方法としては、活性炭による触媒的な反応を利用して過酸化水素を分解除去する方法などが知られている。
【０００３】
活性炭による触媒的な反応を利用する方法は、活性炭を充填した塔の設置スペースが比較的小さく済む上に、活性炭の寿命が長いので、ランニングコストを低減できるという利点がある。しかしながら活性炭による方法では、被処理水のｐＨが４以下であると除去効率が低下する。そこで特許文献１は、被処理水に含まれる過酸化水素を分解する活性炭充填塔を用いるときに、活性炭充填塔から排出される処理水での過酸化水素濃度を例えば滴定法あるいはポーラログラフ法などを適用した分析計によって測定し、測定された過酸化水素濃度が所定値を超えたときに、活性炭充填塔に供給される被処理水にアルカリを添加することを開示している。アルカリ添加により除去効率が上昇するので、特許文献１の方法によれば、被処理水中の過酸化水素濃度の変動に対して安定した活性炭処理を実行することができる。
【先行技術文献】
【特許文献】
【０００４】
【特許文献１】特開平８−３９０７９号公報
【発明の概要】
【発明が解決しようとする課題】
【０００５】
活性炭層に通水することによって被処理水中の過酸化水素を分解除去する方法は、他の方法に比べ、ランニングコストが低いという利点を有するが、被処理水中の過酸化水素濃度が数十ｍｇ／Ｌ以下であることが必要であり、過酸化水素濃度がこの値よりも高い場合には、過酸化水素の除去が不十分になったり、使用する活性炭の寿命が短くなる。特許文献１に記載されるように活性炭充填塔から排出される処理水の過酸化水素濃度を計測して被処理水へのアルカリ添加量を制御したとしても、被処理水における過酸化水素濃度に変動があった場合には活性炭の寿命も変動し、活性炭充填塔内の活性炭を交換する時期の予測が難しくなる。さらに、特許文献１に示される方法は、活性炭充填塔から排出される処理水の過酸化水素濃度を計測して制御を行なうので、処理水に過酸化水素が含まれることを前提とした方法であり、被処理水における過酸化水素濃度の変動によっては、高濃度の過酸化水素が処理水に含まれてしまうおそれがある。
【０００６】
本発明の目的は、過酸化水素を含む被処理水を活性炭層に通して被処理水中の過酸化水素を除去する処理方法および処理装置であって、被処理水中の過酸化水素濃度が変動しても活性炭の寿命に変動が生じることがなく、また、活性炭層からの処理水への過酸化水素の流出を防ぐことができる処理方法および処理装置を提供することにある。
【課題を解決するための手段】
【０００７】
本発明の過酸化水素含有水の処理方法は、過酸化水素を含む被処理水を活性炭層に通す通水工程を有して被処理水中の過酸化水素を除去する処理方法において、通水工程の前段に、被処理水に還元処理用の薬品を添加して過酸化水素の還元を行なう還元処理工程を有することを特徴とする。
【０００８】
本発明の過酸化水素含有水の処理装置は、過酸化水素を含む被処理水を分解除去する処理装置であって、被処理水が供給され、還元処理用の薬品によって被処理水中の過酸化水素の還元処理を行なう反応槽と、反応槽の出口に接続する活性炭充填塔と、を有し、反応槽から排出される水に含まれる過酸化水素が活性炭充填塔において除去される。
【発明の効果】
【０００９】
本発明によれば、活性炭により過酸化水素を除去する前に、被処理水に還元処理用の薬品を添加して過酸化水素の還元を行なうことにより、被処理水における過酸化水素濃度に変動があっても活性炭層に供給される水における過酸化水素濃度を低く抑えることができるので、活性炭の寿命の変動を抑えることができて活性炭交換時期を容易に予測でき、また、活性炭層からの処理水に過酸化水素が流出することを防止することができる。
【図面の簡単な説明】
【００１０】
【図１】本発明の実施の一形態の処理装置の構成を示すフローシートである。
【発明を実施するための形態】
【００１１】
次に、本発明の好ましい実施の形態について、図面を参照して説明する。図１は、本発明の実施の一形態の処理装置を示している。この処理装置は、過酸化水素（Ｈ2Ｏ2）を含む水を被処理水として、被処理水中の過酸化水素を除去し、過酸化水素濃度が所定値以下となった処理水を得るものである。
【００１２】
図１に示す処理装置では、活性炭が活性炭層を形成して充填された活性炭充填塔４０が設けられており、過酸化水素が除去された処理水が活性炭充填塔４０から例えば有機物などを除去する設備である後段設備に送られる。活性炭により被処理水中の過酸化水素を除去する場合、被処理水中の過酸化水素の濃度が数十ｍｇ／Ｌ以下であることが望ましいが、被処理水における過酸化水素濃度がこのような濃度範囲にあるという保証はなく、より高い濃度である場合もあり得る。そこで本実施形態に示す処理装置では、活性炭充填塔４０の前段に、被処理水が供給されて還元処理用の薬品によって被処理水中の過酸化水素の還元処理を行なう反応槽２１を設け、反応槽２１において被処理水中の過酸化水素濃度を、活性炭充填塔４０において処理可能なレベルにまで低減させる。これにより、被処理水において過酸化水素濃度の変動があっても活性炭充填塔４０から過酸化水素を含む処理水が排出されることを防ぐことができる。またこのとき、反応槽２１から排出される被処理水すなわち活性炭充填塔４０に供給される被処理水の過酸化水素濃度が一定となるように反応槽２１において被処理水に添加する薬品の濃度を制御することによって、活性炭充填塔４０内に充填されている活性炭の寿命が延びるとともに、活性炭の交換時期の予測も容易となる。
【００１３】
以下、本実施形態の処理装置について、さらに詳しく説明する。被処理水を一時的に貯える原水槽１１が設けられており、原水槽１１の出口にはポンプ１３が設けられており、原水槽１１内の被処理水が配管１５を介してｐＨ調整槽１６に導かれる。ｐＨ調整槽１６には貯槽１７からｐＨ調整剤も供給される。ｐＨ調整槽１６は、被処理水のｐＨを過酸化水素の還元処理に適した値に調整するために設けられている。ｐＨ調整槽１６内の被処理水のｐＨを計測するｐＨセンサー（不図示）を設け、ｐＨセンサーの計測値に基づいてｐＨ調整槽１６へのｐＨ調整剤の供給量を制御するようにしてもよい。ｐＨ調整槽１６の出口は、配管１８を介して反応槽２１に接続している。原水槽１１に供給される被処理水のｐＨが既に還元処理に適した値である場合には、ｐＨ調整槽１６を設けなくてもよく、そのときは、配管１５に配管１８を直結して被処理水が反応槽２１に直接供給されるようにしてもよい。
【００１４】
さらに配管１５には、ポンプ１３から吐出される被処理水の少なくとも一部を原水槽１１に戻す循環配管１２が接続されている。循環配管１２は、ｐＨ調整槽１６に供給される被処理水の量を調節するためのものであるとともに、処理を停止している際にも原水槽１１内の被処理水を滞留させないようにするためのものであり、必要に応じて設けられる。循環配管１２には、被処理水中の過酸化水素濃度をオンライン計測する過酸化水素濃度計１４が設けられている。過酸化水素濃度計１４は、被処理水中の過酸化水素濃度を測定できるのであれば原水槽１１に設けてもよいが、原水槽１１への被処理水の供給によっては原水槽１１内の過酸化水素濃度は一様でない場合があり、また、配管１５上に設けてもよいが、配管１５を介してｐＨ調整槽１６に供給される被処理水の流量が多いと配管１５の配管口径も大きくなり、過酸化水素濃度計１４のメンテナンスを考慮した配管設計上の影響が大きくなることから、循環配管１２に設けるのが好ましい。前述のとおり循環配管１２は、ｐＨ調整槽１６に供給する被処理水の量を調整するために設けられるので、その流量は少なく、配管１５の配管口径も小さくなるため、過酸化水素濃度計１４の配管設計上の影響も小さくて済む。また、原水槽１１内の被処理水が循環するため、循環配管１２内の被処理水の過酸化水素濃度が一様となり、計測誤差が生じにくくなる。
【００１５】
反応槽２１では、配管１８を介して供給された被処理水に対して還元処理用の薬品すなわち過酸化水素分解剤が添加され、この薬品により被処理水中の過酸化水素が還元分解され、その結果、反応槽２１からは、過酸化水素濃度が所定の濃度に低減された被処理水が配管２４を介して排出される。反応槽２１には、不図示の撹拌装置が取り付けられていてもよい。反応槽２１に対して還元処理用の薬品を供給するために、水溶液の形態である還元処理用の薬品を一時的に貯える貯槽２２と、貯槽２２から薬品を反応槽２１に注入する注入ポンプ２３とが設けられている。
【００１６】
反応槽２１から排出された被処理水を一時的に貯える中継槽３１が設けられており、配管２４は中継槽３１に接続している。中継槽３１の出口は配管３２を介して活性炭充填塔４０に接続し、配管３２には、被処理水を給送するためのポンプ３３が設けられている。活性炭充填塔４０において最終的に過酸化水素を除去して得られる処理水は、例えば有機物や窒素、フッ素などを除去する設備である後段設備に送られる。
【００１７】
反応槽２１における過酸化水素の還元反応速度は、滞留時間あるいは反応時間が長いほど、過酸化水素濃度が高いほど、また還元処理用の薬品の濃度が高いほど高くなる。本実施形態では、特開２０００−２６９００２号公報に記載されるように、反応槽２１として、複数の（例えば２つの）区画された反応域が直列に接続した構成のものを用い、初段の反応域に対して配管１８からの被処理水と還元処理用の薬品が供給され、最終段の反応域から排出される被処理水が活性炭充填塔４０に送られるようにしてもよい。
【００１８】
活性炭充填塔４０は、加圧型と開放型のいずれでもよく、また、下向流通水でも上向流通水でもよいが、過酸化水素の処理能力が比較的小さい、加圧型下向流式の活性炭充填塔の場合に、本発明はより有効である。
【００１９】
本実施形態において、還元処理用の薬品（すなわち過酸化水素分解剤）としては、亜硫酸ナトリウムや亜硫酸水素ナトリウムの水溶液などの還元剤を用いることもできるが、このような還元剤の場合は消費量が多くなりがちであるので、過酸化水素分解酵素であるカタラーゼを用いることが好ましい。カタラーゼは生物界に広く一般的に存在する酵素であるが、微生物産生のカタラーゼを例えば水溶液の形態で容易に入手することができる。微生物から生産されるカタラーゼとしては、アスペルギルス（Ａｓｐｅｒｇｉｌｌｕｓ）属の微生物から生産されるカタラーゼ、サーモマイセス（Ｔｈｅｒｍｏｍｙｃｅｓ）属の微生物から生産されるカタラーゼ、ミクロコッカス（Ｍｉｃｒｏｃｏｃｃｕｓ）属の微生物から生産されるカタラーゼなどがある。これらの微生物由来のカタラーゼは、微生物の種類によって異なった性質を有することが知られている。中でもアスペルギルス属の微生物に由来するカタラーゼは、高濃度の過酸化水素に対しても失活しにくく、そのため添加量を少なくすることが可能であるので、本実施形態において還元処理用の薬品として用いるのに好ましい。本実施形態において還元処理用の薬品として使用できるカタラーゼとしては、オルガノ社製のオルソーブＥＺ−８００Ｈ（主成分：アスペルギルス属産生のカタラーゼ）などが挙げられる。
【００２０】
この処理装置では、被処理水に対する還元処理用の薬品の添加量を最適化するために、過酸化水素濃度計１４からの計測出力信号に基づいて注入ポンプ２３の動作が制御され、過酸化水素濃度計１４での計測結果に基づいて反応槽２１への還元処理用の薬品の添加量が最適量となるようにされる。処理装置は、その供給される被処理水中の過酸化水素濃度が変動する場合であっても、反応槽２１から排出される被処理水中の過酸化水素濃度が、活性炭充填塔４０での処理に適した所定の値となるように、過酸化水素の分解除去処理を行う。具体的には、反応槽２１から排出される被処理水における過酸化水素濃度が、５０ｍｇ／Ｌ以下であるように制御を行なう。
【００２１】
反応槽２１の容積と反応槽２１への被処理水の流量とが分かれば、反応槽２１において確保される滞留時間（反応時間）が算出される。温度が一定であるとして還元処理用の薬品による過酸化水素の分解反応の反応速度定数（あるいは反応速度式）は、薬品の種類（例えばカタラーゼを産生する微生物の菌種の違い）などによって異なり得るが、薬品の種類が定まれば一意に決まるといってよい。被処理水の過酸化水素濃度が計測結果として与えられたときに、反応槽２１での滞留時間と反応速度定数と基づいて、反応速度計算により、反応槽２１の出口での過酸化水素濃度が所定値となるような薬品の添加量を算出することができる。図には示していないが、還元処理用の薬品の添加量を反応速度計算から算出する算出部を設け、算出部によって注入ポンプを制御してもよい。
【００２２】
次に、過酸化水素濃度計１４について説明する。過酸化水素濃度の測定法としては、過マンガン酸カリウムやヨウ素を使用した滴定法やボルタンメトリー法、化学発光検出器を用いたポストカラムＨＰＬＣ法、センサーと検出器とを用いる方法などがあるが、過酸化水素濃度計１４は、過酸化水素濃度センサーを備えて過酸化水素濃度をオンライン計測し、その計測結果に基づいて還元処理用の薬品の添加量を制御するために計測出力信号を出力するものである。オンライン計測を行なって薬品の添加量の制御のために用いられることから、過酸化水素濃度計１４に設けられる過酸化水素濃度センサーには、連続分析が可能であり、かつ、応答速度が速いことが求められる。この観点から、過酸化水素濃度センサーとしては、電流測定に基づく２電極型のセンサーを用いることが好ましい。
【００２３】
２電極型の過酸化水素濃度センサーは、例えば棒状の部材の先端に作用極である第１の電極を設け、その部材の側面に対極および参照極を兼ねる第２の電極を設け、第１の電極に比べて第２の電極の方が十分に面積が大きくなるようにしたものである。第１の電極は例えば金（Ａｕ）や白金（Ｐｔ）からなる電極であり、第２の電極は、例えば銀／塩化銀（Ａｇ／ＡｇＣｌ）電極や、特開平９−１７８７００号公報に示されるように不活性化可能な金属からなる電極である。過酸化水素濃度センサーは、過酸化水素を透過する隔膜によって測定対象の液体から隔てられていてもよく、隔膜を設ける場合には、隔膜と各電極との間は一定のイオン活量を有する内部電解液（例えば、所定濃度の塩化カリウム（ＫＣｌ）溶液）で満たされる。このような過酸化水素濃度センサーでは、第１の電極と第２の電極との間に所定の直流電圧を印加することにより、過酸化水素が電子を受け取って還元される。このときに電極間を流れる電流は過酸化水素濃度に比例するから、過酸化水素濃度計１４は、電極間に流れる電流に応じた計測出力信号を出力する。本実施形態において使用可能な過酸化水素濃度センサーとしては、例えば、ドイツ国所在のプロミネント(Prominent)社製のＰＥＲ１あるいはＰＥＲＯＸが挙げられる。
【００２４】
図１に示した構成では、被処理水を一時的に貯える原水槽１１に接続する循環配管１２に対して過酸化水素濃度計１４が接続し、循環配管１２を介して原水槽１１に循環する被処理水における過酸化水素濃度を計測している。しかしながら過酸化水素濃度計１４の設置位置はこれに限られるものではなく、活性炭充填塔４０より前の位置であって、かつ過酸化水素濃度に基づいて還元処理用の薬品の添加量を最適化することができる位置であれば、処理装置内の任意の位置に過酸化水素濃度計１４を設けることができる。
【符号の説明】
【００２５】
１１    原水槽
１３，３３    ポンプ
１４    過酸化水素濃度計
１６    ｐＨ調整槽
２１    反応槽
２３    注入ポンプ
３１    中継槽
４０    活性炭充填塔
【図１】
2020037063.tif 000003